(57)【特許請求の範囲】
【請求項１】
標本が載置されるステージと、
少なくとも前記ステージ上の前記標本からの観察光を集光する対物レンズと、
土台となるベース部、および該ベース部から直立し、少なくとも前記対物レンズを昇降可能に保持する支柱からなる基部を有する顕微鏡本体部と、
平面上に所定のパターンで設けられる複数の固定穴を有する設置台に対して固定され、前記顕微鏡本体部と前記設置台とにそれぞれ連結して両者の位置関係を固定する固定部材と、
前記顕微鏡本体部に取り付けられる取付部と、
を備え、
前記固定部材は、
平板状をなして延び、一端側に設けられ、板厚方向に貫通する貫通孔を有する延在部と、
前記延在部の他端側に設けられ、前記取付部に対して移動可能に連結する連結部と、
を有し、
前記連結部は、
前記設置台側と反対方向に突出し、前記取付部内に挿通する挿通ピンと、
前記挿通ピンと異なる位置から該挿通ピンと同一方向に突出し、突出量が、前記挿通ピンの突出量より短い突出ピンと、
を有し、
前記取付部は、
前記挿通ピンを収容可能な第１収容孔と、
前記突出ピンを収容可能な第２収容孔と、
を有し、
前記挿通ピンを第１収容孔に収容することで、前記挿通ピンを回転中心として前記連結部の配置パターンを少なくとも２つ以上に変更可能であり、
前記配置パターンは、前記貫通孔といずれかの前記固定穴とが連通している
ことを特徴とする顕微鏡システム。
【請求項２】
前記取付部は複数設けられ、
各取付部は、前記固定部材をそれぞれ取り付けることを特徴とする請求項１に記載の顕微鏡システム。
【請求項３】
前記顕微鏡本体部の側面において、前記対物レンズの光軸を含む平面と交差する位置に設けられたマーカ
を有することを特徴とする請求項１または２に記載の顕微鏡システム。
【発明の詳細な説明】
【技術分野】
【０００１】
本発明は、例えば、照明光を標本に照射し、標本が透過または反射した光をもとに生成された標本像を取得する顕微鏡装置を設置台に固定する固定部材および顕微鏡システムに関するものである。
【背景技術】
【０００２】
従来から、医学や生物学等の分野では、細胞等の観察に、標本を照明して観察する顕微鏡装置を有する顕微鏡システムが用いられている。また、工業分野においても、金属組織等の品質管理や、新素材の研究開発、電子デバイスや磁気ヘッドの検査等、種々の用途で顕微鏡装置が利用されている。標本の観察を行う顕微鏡システムとして、目視によるものの他、ＣＣＤカメラ等を用いて標本像を撮像し、撮像した画像をモニタで表示する構成を有するものが知られている。
【０００３】
上述した顕微鏡装置は、固定部材を介して定盤や除振台などの設置台上に固定される。これにより、顕微鏡装置の操作性および安定性が確保される。この固定部材として、例えば、顕微鏡装置と設置台との間に設けられ、顕微鏡装置の脚部をなすゴム足を浮かせた状態で顕微鏡の底部と当接する当接アダプタと、顕微鏡装置の側面部および設置台にそれぞれ固定され、顕微鏡装置および設置台を結合するＬ字状の結合アダプタとを有する顕微鏡システムが開示されている（例えば、特許文献１を参照）。
【０００４】
ここで、特許文献１が開示する顕微鏡システムは、Ｌ字状の結合アダプタが取り付けられる面によって、顕微鏡装置からの突出方向が決まるため、省スペース化を図ったり、他のユニットを配設するスペースを確保したりするには不向きであった。これに対し、上述した省スペース化や他のユニットを配設するスペースを確保するための技術として、長手方向の一方の端部側に設けられた脚部によって設置台に取り付けられるとともに、長手方向の他方の端部が顕微鏡装置に対して回動自在に取り付けられた略板状の転倒防止部材を備えた顕微鏡システムが開示されている（例えば、特許文献２を参照）。特許文献２が開示する顕微鏡システムでは、使用形態に応じて脚部の位置を変更して、脚部の固定位置の自由度を向上させることが可能である。
【先行技術文献】
【特許文献】
【０００５】
【特許文献１】特開２００２−２０７１７２号公報
【特許文献２】特開２００３−５０８５号公報
【発明の概要】
【発明が解決しようとする課題】
【０００６】
しかしながら、特許文献２が開示する顕微鏡システムは、脚部と設置台との位置関係が固定でき、脚部の配置の変更が可能であるものの、顕微鏡装置に対して転倒防止部材の位置を固定する構成がない。このため、外部からの荷重によって転倒防止部材が顕微鏡装置に対して回転して、顕微鏡装置と設置台との位置関係が変化してしまい、顕微鏡装置と設置台との位置関係が固定できないというおそれがあった。特に、観察者が、別個設けられる光学装置および顕微鏡装置を独自に組み立てて使用する場合、光学装置から顕微鏡装置への光の導入や、光学装置から射出される光の光軸と顕微鏡装置における光軸との調整において、顕微鏡装置と設置台との位置関係が固定できていないと、光軸等の位置関係にずれが生じ、標本の観察に影響を及ぼすおそれがあった。
【０００７】
本発明は、上記に鑑みてなされたものであり、設置台に対する固定位置の変更が可能であるとともに、顕微鏡装置と設置台との位置関係を確実に固定することができる固定部材および顕微鏡システムを提供することを目的とする。
【課題を解決するための手段】
【００１０】
上述した課題を解決し、目的を達成するために、本発明にかかる顕微鏡システムは、標本が載置されるステージと、少なくとも前記ステージ上の前記標本からの観察光を集光する対物レンズと、土台となるベース部、および該ベース部から直立し、少なくとも前記対物レンズを昇降可能に保持する支柱からなる基部を有する顕微鏡本体部と、平面上に所定のパターンで設けられる複数の固定穴を有する設置台に対して固定され、前記顕微鏡本体部と前記設置台とにそれぞれ連結して両者の位置関係を固定する固定部材と、前記顕微鏡本体部に取り付けられる取付部と、を備え、前記固定部材は、平板状をなして延び、一端側に設けられ、板厚方向に貫通する貫通孔を有する延在部と、前記延在部の他端側に設けられ、前記取付部に対して移動可能に連結する連結部と、を有し、前記連結部は、前記設置台側と反対方向に突出し、前記取付部内に挿通する挿通ピンと、前記挿通ピンと異なる位置から該挿通ピンと同一方向に突出し、突出量が、前記挿通ピンの突出量より短い突出ピンと、を有し、前記取付部は、前記挿通ピンを収容可能な第１収容孔と、前記突出ピンを収容可能な第２収容孔と、を有し、前記挿通ピンを第１収容孔に収容することで、前記挿通ピンを回転中心として前記連結部の配置パターンを少なくとも２つ以上に変更可能であり、前記配置パターンは、前記貫通孔といずれかの前記固定穴とが連通していることを特徴とする。
【００１１】
また、本発明にかかる顕微鏡システムは、上記の発明において、前記取付部は複数設けられ、各取付部は、前記固定部材をそれぞれ取り付けることを特徴とする。
【００１３】
また、本発明にかかる顕微鏡システムは、上記の発明において、前記顕微鏡本体部の側面において、前記対物レンズの光軸を含む平面と交差する位置に設けられたマーカを有することを特徴とする。
【発明の効果】
【００１４】
本発明によれば、板厚方向に貫通する貫通孔を有し、顕微鏡装置に対する配置パターンが複数設定された固定部材を介して顕微鏡装置を設置台の配設位置においた状態で、少なくとも２以上の配置パターンにおいて、貫通孔と固定穴とが連通するようにしたので、設置台に対する固定位置の変更が可能であるとともに、顕微鏡装置と設置台との位置関係を確実に固定することができるという効果を奏する。
【図面の簡単な説明】
【００１５】
【図１】図１は、本発明の実施の形態１にかかる顕微鏡システムの構成を示す模式図である。
【図２】図２は、図１に示す顕微鏡システムを下方からみた模式図である。
【図３】図３は、本発明の実施の形態１にかかる顕微鏡システムの固定部材の構成を示す斜視図である。
【図４】図４は、図３に示す固定部材のＡ−Ａ線断面を示す断面図である。
【図５】図５は、本発明の実施の形態１にかかる顕微鏡システムの顕微鏡本体部の要部の構成を示す模式図である。
【図６】図６は、本発明の実施の形態１にかかる顕微鏡システムの要部の構成を示す模式図である。
【図７】図７は、本発明の実施の形態２にかかる固定部材を顕微鏡装置に取付けた図である。
【図８】図８は、本発明の実施の形態２にかかる固定部材の構成を示す模式図である。
【図９】図９は、本発明の実施の形態３にかかる固定部材を顕微鏡装置に取付けた図である。
【図１０】図１０は、本発明の実施の形態３にかかる固定部材の構成を示す模式図である。
【発明を実施するための形態】
【００１６】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００１７】
まず、本実施の形態１にかかる顕微鏡システムについて、図面を参照して詳細に説明する。図１は、本実施の形態１にかかる顕微鏡システム１の全体構成を示す模式図である。図２は、図１に示す顕微鏡システム１を下方からみた模式図である。本実施の形態１では、正立型の顕微鏡を例に説明する。
【００１８】
顕微鏡システム１は、観察対象の標本が載置されるステージ１０と、側面視略Ｃ字状をなす顕微鏡本体部２０と、顕微鏡本体部２０の上部後方（図１の左方）に配設された落射照明用ランプハウス３０と、顕微鏡本体部２０の上部に載置された鏡筒３１と、を備えた顕微鏡装置２が、固定部材３ａ〜３ｄを介して、平面上に所定のピッチ（パターン）で設けられた固定穴Ｐ（図２参照）を有する除振台などの設置台上に固定されてなる。また、鏡筒３１には、標本の標本像を目視観察するための接眼レンズ３２が取り付けられている。固定部材３ａ（固定部材３ａ〜３ｄ）は、例えばネジＳによって設置台に固定される。固定穴Ｐの配設ピッチは、例えば、２５ｍｍ、２５．４ｍｍ（１インチ）、５０ｍｍなどが挙げられる。
【００１９】
ステージ１０は、ステージ１０の標本を載置する標本載置面から鉛直に延びる複数の脚部１０ａを有する。ステージ１０は、脚部１０ａが設置面に固定されることによって、顕微鏡本体部２０とは別に設置台上に固定されている。ここで、ステージ１０には、標本を載置する標本載置面をＸＹ平面とみたときに、ステージ１０をＸ方向およびＹ方向にそれぞれ独立して移動させるステージ移動機構が設けられていてもよい。
【００２０】
顕微鏡本体部２０は、略角柱状をなすベース部２１ａ、およびベース部２１ａの端部からベース部２１ａと直交する方向に延び、この直交する方向からみた形状が略Ｃ字状をなす支柱２１ｂを有し、上方からみて略Ｙ字状をなす基部２１と、支柱２１ｂのベース部２１ａに連結する側と異なる側の端部に設けられ、支柱２１ｂが延びる方向と垂直な方向（ベース部２１ａと平行な方向）に延び、落射照明用ランプハウス３０から射出される落射照明光を通過させる落射投光管２２と、支柱２１ｂによって上下動可能に支持されるとともに、レボルバ２３を介して対物レンズ２４を保持する側面視略Ｌ字状をなす対物アーム２５と、を有する。また、ベース部２１ａは、標本に透過させる透過照明光を射出する透過照明用ランプハウスが設置された際に、透過照明光を標本に集光させるコンデンサを有するコンデンサユニット２６を支持している。
【００２１】
ベース部２１ａは、透過照明用ランプハウスが支柱２１ｂに接続された場合、支柱２１ｂを介して射出される透過照明光を通過させるとともに、内部に設けたミラーによって、コンデンサユニット２６に向けて透過照明光を出射する。なお、ベース部２１ａから出射された透過照明光の光軸は、対物レンズ２４の光軸と一致する。
【００２２】
支柱２１ｂは、ベース部２１ａの板面から鉛直方向に延び、対物アーム２５を移動させるための動力の入力を行う自転可能な入力部を有する。入力部は、例えばラックアンドピニオン等の焦準機構を介して回転動力を対物アーム２５側に伝達し、入力部（ピニオン）の回転量に応じて対物アーム２５を上下方向に移動させる。なお、ラックは、対物アーム２５に形成されてもよいし、対物アーム２５と連結する別部材として設けられてもよい。また、支柱２１ｂは、透過照明用ランプハウスと接続し、透過照明用ランプハウスから射出された透過照明光をベース部２１ａに対して出射する。
【００２３】
落射投光管２２は、落射照明用ランプハウス３０から射出される落射照明光を通過させるとともに、キューブユニット２２１によって、対物レンズ２４の光軸と一致する方向に落射照明光を反射させる。キューブユニット２２１は、図示しない複数のキューブを有し、各キューブを検鏡法に応じて選択的に光路上に配置させる。このキューブによって、落射照明用ランプハウス３０からの落射照明光の標本側への切り替え、または標本からの光（観察光）の鏡筒３１側への切り替えを行うことで、光路の切り替えを行うことができる。
【００２４】
レボルバ２３は、所定の軸に対してスライド自在または回転自在に設けられ、対物レンズ２４を標本の上方に配置する。レボルバ２３は、電動レボルバ等を用いて構成される。レボルバ２３は、マウンタによって倍率（観察倍率）が異なる複数の対物レンズ２４を保持し、観察光の光路上に挿入されて標本の観察に用いる対物レンズ２４を択一的に切換える。
【００２５】
対物レンズ２４は、たとえば１倍，２倍，４倍の比較的倍率の低い対物レンズ（以下、「低倍対物レンズ」という）と、１０倍，２０倍，４０倍の低倍対物レンズの倍率に対して高倍率である対物レンズ（以下、「高倍対物レンズ」という）とを少なくとも一つずつレボルバ２３に装着させる。なお、低倍対物レンズおよび高倍対物レンズの倍率は一例であり、高倍対物レンズが低倍対物レンズに対して高ければよい。
【００２６】
落射照明用ランプハウス３０は、光源から出射された光を集光レンズによって集光して、ランプハウスの外部に射出する。
【００２７】
このような構成において、ステージ１０上に載置された標本を落射観察する場合、落射照明用ランプハウス３０からの落射照明光は、キューブユニット２２１で反射され、対物レンズ２４を介して標本に照射されるとともに、この照射光を反射した標本からの光が対物レンズ２４、キューブユニット２２１を介して接眼レンズ３２に入射される。
【００２８】
このとき、入力部を回転操作して図示しない焦準機構を介して対物アーム２５を支柱２１ｂの長手方向に沿って上下動させることにより、対物レンズ２４を対物レンズ２４の光軸に沿って移動させることで焦準操作を行うことができる。
【００２９】
図３は、本実施の形態１にかかる顕微鏡システムの固定部材３ａの構成を示す斜視図である。図４は、図３に示す固定部材３ａのＡ−Ａ線断面を示す断面図である。固定部材３ａは、一端に設けられ、板厚方向に貫通する貫通孔４１ａを有し、略平板状をなして延びる延在部４１と、延在部４１の一方の端部（延在部４１の他端側）に載置されて固定される略円板状をなす円板部４２（連結部）と、円板部４２に挿通され、円板部４２の延在部４１側の端部と異なる側の端部から突出する挿通ピン４３と、挿通ピン４３の突出位置と異なる位置から突出する突出ピン４４，４５とを備える。挿通ピン４３は、大径部４３ａと小径部４３ｂとを有する段付き形状をなす。また、突出ピン４４，４５は、挿通ピン４３と同様、大径部と小径部とを有する段付き形状をなしている。
【００３０】
延在部４１は、上述した貫通孔４１ａと、円板部４２を載置する位置に設けられる略円柱状の内部空間を形成する穴部４１ｂと、穴部４１ｂに連通し、挿通ピン４３の大径部４３ａを挿通可能な内部空間を形成するピン挿入孔４１ｃと、を有する。また、延在部４１は、穴部４１ｂに連通する孔４１ｃ，４１ｄをそれぞれ有する。貫通孔４１ａは、延在部４１が延びる方向の径が、延在部４１が延びる方向に直交する方向の径より大きい長穴である。
【００３１】
円板部４２は、延在部４１との接触側の面から突出するように設けられ、穴部４１ｂが形成する内部空間の形状に応じて凸状に突出する凸部４２ａと、延在部４１側がピン挿入孔４１ｃと同等の径をなすとともに、延在部４１側と異なる側が小径部４３ｂの径の段付き形状をなす内部空間を形成する挿通孔４２ｂと、突出ピン４４，４５の小径部を挿通可能な内部空間を形成する挿通孔４２ｃ，４２ｄと、を有する。挿通孔４２ｃ，４２ｄは、挿通孔４２ｃと挿通孔４２ｄとを結ぶ線が挿通孔４２ｂを通過する位置に設けられる。
【００３２】
固定部材３ａは、延在部４１の穴部４１ｂと円板部４２の凸部４２ａとが嵌合することで延在部４１に円板部４２が取り付けられるとともに、挿通ピン４３の小径部４３ｂが挿通孔４２ｂに挿通されて円板部４２から突出し、挿通孔４２ｃ，４２ｄに突出ピン４４，４５がそれぞれ取り付けられることによって構成される。なお、固定部材３ｂ〜３ｄにおいても、固定部材３ａと同様の構成を有する。
【００３３】
図５は、本実施の形態１にかかる顕微鏡システム１の顕微鏡本体部２０の支柱２１ｂの構成を示す模式図である。支柱２１ｂの底部には、固定部材３ａを取り付ける取付部２７が設けられている。取付部２７は、円板部４２の形状に応じた内部空間を形成し、円板部４２が配設された際に、円板部４２の移動方向（回転方向）を規制する規制部２７ａと、規制部２７ａの中央部に設けられ、挿通ピン４３を収容する収容孔２７ｂ（第１収容孔）と、突出ピン４４を収容する収容孔２７ｃ（第２収容孔）と、突出ピン４５を収容する収容孔２７ｄ（第２収容孔）と、を有する。収容孔２７ｃおよび収容孔２７ｄは、収容孔２７ｂを通過する線上に位置する収容孔２７ｃおよび収容孔２７ｄを一組の収容孔としてそれぞれ４つ設けられている。また、収容孔２７ｄの径において、規制部２７ａにおける周方向の径は、規制部２７ａにおける径方向の径と比して小さく、かつ突出ピン４５の径より大きい。なお、ベース部２１ａおよび支柱２１ｂの底部には、固定部材３ｂ〜３ｄに応じて、取付部２７と同様の構成を有する取付部が設けられる。また、挿通ピン４３は、収容孔２７ｂと螺合等によって連結される。
【００３４】
図６は、本実施の形態１にかかる顕微鏡システム１の要部の構成を示す模式図である。固定部材３ａ〜３ｄは、設置面上に格子状に設けられたラインＲの各交点（固定穴Ｐ）において固定される。ここで、顕微鏡装置２は、例えばベース部２１ａの直交する側面にそれぞれ設けられるマーカＭ１，Ｍ２を用いて設置台上の位置が決められる（図１参照）。具体的には、マーカＭ１，Ｍ２をそれぞれラインＲ上に配置することによって、顕微鏡装置２の設置台上の配設位置を決定する。このとき、対物レンズの光軸Ｎと一致する直線は、固定穴Ｐを通過している（図２参照）。
【００３５】
また、固定部材３ａは、挿通ピン４３を軸に回転した場合、貫通孔４１ａが顕微鏡装置２の外部に配置される領域であって、貫通孔４１ａが通過する領域Ｅ内に位置する固定穴Ｐ（固定穴Ｐ１〜Ｐ４）のいずれかによって、設置台上に例えばネジＳによって固定される。ここで、固定部材３ａは、突出ピン４４，４５と収容孔２７ｃ，２７ｄとの関係により、顕微鏡装置２と相互の位置関係で固定される複数の配置パターン（ＬＰ１〜ＬＰ４）を有する。固定部材３ａが、配置パターンＬＰ１〜ＬＰ４にそれぞれ位置した状態では、挿通ピン４３を軸とする回転が規制され、固定部材３ａが顕微鏡装置２に対して固定されている。このとき、各配置パターンＬＰ１〜ＬＰ４における貫通孔４１ａは、各固定穴Ｐ１〜Ｐ４のいずれかと連通している。なお、固定部材３ｂ〜３ｄにおいても同様に設置面に固定するとともに、挿通ピン４３を軸とする回転が規制された状態とすることができる。
【００３６】
このように、固定部材３ａ〜３ｄが、各配置パターンＬＰ１〜ＬＰ４において挿通ピン４３を軸とする回転が規制された状態となって設置台上に固定されることによって、顕微鏡装置と設置台との位置関係を確実に固定することが可能となる。また、例えば、ステージ１０の脚部１０ａの固定位置が、図６に示す固定穴Ｐ１である場合、固定部材３ａを回転させて固定穴Ｐ２〜Ｐ３のいずれかの位置で固定することで、固定位置を変更することができる。
【００３７】
上述した本実施の形態１によれば、固定部材３ａ〜３ｄが、各配置パターンＬＰ１〜ＬＰ４において挿通ピン４３を軸とする回転が規制された状態となって設置台上に固定されるようにしたので、設置台に対する固定位置の変更が可能であるとともに、顕微鏡装置と設置台との位置関係を確実に固定することができる。
【００３８】
また、本実施の形態１では、同一の形状をなす固定部材を用いて、顕微鏡装置と設置面とを固定することができるため、製造の容易性を向上させるとともに、製造にかかるコストを削減することが可能となる。
【００３９】
また、固定部材の突出ピン４５を収容する収容孔２７ｄが長穴であり、長軸が突出ピン４５の径より大きいため、突出ピン４５の収容を一段と容易なものとすることが可能となる。なお、収容孔２７ｄが突出ピン４５に応じた円形をなすものであっても適用可能である。
【００４０】
また、本実施の形態１では、貫通孔４１ａを介して固定穴Ｐの位置を確認することが可能であるため、例えば、取付部から突出するピンを固定穴Ｐに挿通する場合と比して、固定穴Ｐの確認が容易であり、一段と容易に固定することができる。
【００４１】
また、本実施の形態１では、対物レンズの光軸を、固定穴Ｐを通過する位置に設定するため、配設する他のユニットの位置決めや光軸合わせを行うことが容易となる。
【００４２】
なお、上述した本実施の形態１では、配置パターンＬＰ１〜ＬＰ〜４のうち、すべての配置パターンにおいて貫通孔と固定穴とが連通するものとして説明したが、少なくとも２つ以上の配置パターンで貫通孔と固定穴とが連通していれば適用可能である。
【００４３】
また、顕微鏡装置と固定部材との間の固定は、ネジによる固定に限らず、固定部材の突出ピンを突出方向に対して進退可能なピンとし、挿通ピンを軸とした回転に追従した進退動作によって隣接する収容孔に突出ピンが収容される構成であってもよい。また、突出ピンは、２つ設けられているものとして説明したが、１以上あれば適用可能である。
【００４４】
図７は、本実施の形態２にかかる固定部材３ｅを顕微鏡装置に取付けた図であって、図７（ａ）は斜視図であり、図７（ｂ）は正面図である。図８は、本実施の形態２にかかる固定部材３ｅの構成を示す模式図であって、図８（ａ）は上面図であり、図８（ｂ）は側面図であり、図８（ｃ）は下面図である。上述した実施の形態１では、固定部材３ａ（固定部材３ｂ〜３ｄ）が規制部２７ａによる規制のうえ、回転して固定位置を変更するものとして説明したが、固定部材をスライドさせることによって移動して固定位置を変更するものであってもよい。なお、本実施の形態２では、上述した顕微鏡装置１の支柱２１ｂに代えて、取付部２１１を有する支柱２１ｃであるものとして説明する。また、取付部２１１は、例えば支柱２１ｃが延びる方向と垂直な方向に板状をなして突出し、板厚方向に貫通する貫通孔２１１ａを有する。
【００４５】
図７，８に示す固定部材３ｅは、略平板状をなして延びる延在部４６と、延在部４６の一方の端部側に連結して固定される略平板状をなす平板部４７（連結部）とを有する。固定部材３ｅは、平板部４７は、延在部４６の端部に載置された側面視Ｚ形状をなす。また、顕微鏡装置に対する固定は、上述した挿通ピン４３のような、ピン、ネジ等を用いて螺合等により固定される。
【００４６】
延在部４６は、板厚方向に貫通する貫通孔４６ａを有する。貫通孔４６ａは、延在部４６が延びる方向の径が、延在部４６が延びる方向に直交する方向の径より大きい長穴である。また、平板部４７は、延在部４６との連結側と異なる側に設けられてピン、ネジ等を挿通可能であり、板厚方向に貫通する貫通孔４７ａを有する。貫通孔４７ａは、固定部材３ｅの長手方向の径（延在部４６との連結状態において、延在部４６が延びる方向）が、長手方向に直交する方向の径より小さい長穴である。貫通孔４６ａは、上述した貫通孔４１ａと同様、ネジＳによって、設置台上に固定される。
【００４７】
また、貫通孔４７ａは、例えばネジを挿通し、貫通孔２１１ａと螺合等によって固定される。この状態において、固定部材３ｅは、ネジを軸に回転可能となるとともに、貫通孔４７ａ内でネジを移動させることが可能である。すなわち、固定部材３ｅは、ネジの貫通孔４７ａ内における各移動位置において回転することができる。このとき、貫通孔４６ａの移動領域は、上述した貫通孔４１ａの移動領域Ｅよりも大きくなる。これにより、上述した回転移動と比して、挿通孔４６ａの移動領域内に固定穴Ｐをより多く含むことになり、固定位置を変更させることの自由度を向上することが可能となる。また、固定部材を顕微鏡装置（取付部）の上方から取り付けるため、顕微鏡装置を裏返すことなく固定部材を顕微鏡装置に固定でき、顕微鏡装置に対して固定部材を容易に固定することが可能となる。
【００４８】
図９は、本実施の形態３にかかる固定部材３ｆを顕微鏡装置に取付けた図であって、図９（ａ）は斜視図であり、図９（ｂ）は正面図である。図１０は、本実施の形態３にかかる固定部材３ｆの構成を示す模式図であって、図１０（ａ）は上面図であり、図１０（ｂ）は側面図である。上述した実施の形態２では、固定部材３ｅの顕微鏡装置（取付部）との連結側の貫通孔４７ａが長穴であるものとして説明したが、顕微鏡装置の取付部側に長穴が設けられている場合、固定部材３ｅの顕微鏡装置（取付部）との連結側の貫通孔が円柱状をなすものであってもよい。
【００４９】
なお、本実施の形態３では、上述した顕微鏡装置１の支柱２１ｂに代えて、取付部２１２を有する支柱２１ｄであるものとして説明する。また、取付部２１２は、支柱２１ｃが延びる方向と垂直な方向に板状をなして突出し、板厚方向に貫通する貫通孔２１２ａを有する。貫通孔２１２ａは、突出方向の径が、突出方向に直交する方向の径より小さい長穴である。また、取付部２１２は、支柱２１ｄの底部から固定部材３ｆの厚み分高い位置に設けられる。
【００５０】
図９，１０に示す固定部材３ｆは、略平板状をなす平板部４８を有する。また、顕微鏡装置に対する固定は、上述した挿通ピン４３のような、ピン、ネジ等を用いて螺合等により固定される。なお、平板部４８は、延在部と連結部とが一体となった構成である。
【００５１】
平板部４８は、一端側に設けられ、板厚方向に貫通する第１貫通孔４８ａと、他端側に設けられ、板厚方向に貫通する第２貫通孔４８ｂを有する。第１貫通孔４８ａは、一端から他端側に向けて延びる方向の径が、この延びる方向に直交する方向の径より大きい。また、第２貫通孔４８ｂは、円柱状をなす内部空間を形成している。
【００５２】
第１貫通孔４８ａは、上述した貫通孔４１ａと同様、ネジＳによって、設置台上に固定される。また、第２貫通孔４８ｂは、例えばネジを挿通し、貫通孔２１２ａと螺合等によって固定される。この状態において、固定部材３ｅは、ネジを軸に回転可能となるとともに、貫通孔２１２ａ内でネジを移動させることが可能である。すなわち、固定部材３ｆは、ネジの貫通孔２１２ａ内における各移動位置において回転することができる。このとき、第１貫通孔４８ａの移動領域は、上述した貫通孔４１ａの移動領域Ｅよりも大きくなる。これにより、上述した回転移動と比して、第１貫通孔４８ａの移動領域内に固定穴Ｐをより多く含むことになり、固定位置を変更させることの自由度を向上することが可能となる。
【００５３】
また、固定部材を設置台の上面と取付部との間に入れ込んで取り付けるため、顕微鏡装置を裏返すことなく固定部材を顕微鏡装置に固定でき、顕微鏡装置に対して固定部材を容易に固定することが可能となる。さらに、固定部材３ｆの第２貫通孔４８ｂの形状が単純（板に穴を開けただけ）になり、上述した実施の形態１，２にかかる固定部材と比して製造単価を安くすることができる。
【００５４】
なお、取付部２１１，２１２に取付部２７のような凹形状（収容孔２７ｂ，２７ｃ，２７ｄ）を設け、固定部材３ｅ，３ｆに凸形状（挿通ピン４３、突出ピン４４，４５）を設けることで上述した実施の形態１に示したような構成にすることも可能である。また、上述したような凹形状を設けた取付部２１１，２１２とすることで、実施の形態１の固定部材３ａ〜３ｄを適用でき、顕微鏡装置を裏返すことなく固定部材を顕微鏡に固定することが可能になる。
【００５５】
また、上述した実施の形態２，３は、支柱２１ｃ，２１ｄに固定部材３ｅ，３ｆが取り付けられるもの、例えば固定部材３ａに対応するものとして説明したが、固定部材３ｂ〜３ｄに対応するものについても同様の構成である。また、上述した実施の形態２，３は、支柱２１ｃ、２１ｄを支柱２１ｂに対応するものとして説明したが、ベース部２１ａについても同様の構成である。
【００５６】
また、上述した実施の形態では、顕微鏡装置として正立型顕微鏡装置を例に説明したが、たとえば倒立型顕微鏡装置であっても本発明を適用することができる。さらに、顕微鏡装置を組み込んだライン装置といった各種システムにも、本発明を適用することができる。
【００５７】
また、上述した実施の形態では、顕微鏡装置、撮像装置、表示入力部および制御端末を備えた顕微鏡システムを例に説明したが、たとえば標本を拡大する対物レンズ、対物レンズを介して標本を撮像する撮像機能、および画像を表示する表示機能を備えた撮像装置、たとえばビデオマイクロスコープ等であっても、本発明を適用することができる。
【００５８】
以上のように、本発明にかかる固定部材および顕微鏡システムは、設置台に対する固定位置の変更が可能であるとともに、顕微鏡装置と設置台との位置関係を確実に固定することに有用である。
【符号の説明】
【００５９】
１  顕微鏡システム
２  顕微鏡装置
３ａ〜３ｅ  固定部材
１０  ステージ
１０ａ  脚部
２０  顕微鏡本体部
２１  基部
２１ａ  ベース部
２１ｂ，２１ｃ，２１ｄ  支柱
２２  落射投光管
２３  レボルバ
２４  対物レンズ
２５  対物アーム
２６  コンデンサユニット
２７，２１１，２１２  取付部
２７ａ  規制部
２７ｂ，２７ｃ，２７ｄ  収容孔
３０  落射照明用ランプハウス
３１  鏡筒
３２  接眼レンズ
４１，４６  延在部
４１ａ，４６ａ，４７ａ，２１１ａ，２１２ａ  貫通孔
４１ｂ  穴部
４１ｃ，４１ｄ  孔
４２  円板部
４２ａ  凸部
４２ｂ，４２ｃ，４２ｄ  挿通孔
４３  挿通ピン
４３ａ  大径部
４３ｂ  小径部
４４，４５  突出ピン
４７，４８  平板部
４８ａ  第１貫通孔
４８ｂ  第２貫通孔
２２１  キューブユニット
Ｍ１，Ｍ２  マーカ
Ｐ  固定穴
【図１】
0005865077.tif 000002
【図２】
0005865077.tif 000003
【図３】
0005865077.tif 000004
【図４】
0005865077.tif 000005
【図５】
0005865077.tif 000006
【図６】
0005865077.tif 000007
【図７】
0005865077.tif 000008
【図８】
0005865077.tif 000009
【図９】
0005865077.tif 000010
【図１０】
0005865077.tif 000011